(57)【要約】【課題】本発明は、タンク内の混合液を吸引ノズルで吸引し、２個の分離区画で分離させ、分離油排出ノズルで確実に油を排出することを目的とする。【解決手段】本発明による浮上油回収装置の吸引ノズル構造及び分離油排出構造は、カップ体（５０）のフロート弁（５２）を介して吸引した混合液（３）を第１分離区画（６）から第２分離区画（３０）に送られ、分離油排出ノズル（３５）のフロート（３８）の降下によって浮上油（７）が確実に廃棄される構成である。【選択図】        図１
2004216257.tif 000002
【特許請求の範囲】
【請求項１】
タンク（２）内の混合液（３）を前記混合液（３）上に浮いた状態の吸引ノズル（４）を介して浮上油回収装置（１）の第１分離区画（６）内に送り込むようにした浮上油回収装置の吸引ノズル構造において、
前記吸引ノズル（４）は、側部（５０ａ）に開口（５１）を有するカップ体（５０）と、前記カップ体（５０）内に上下動自在に設けられたフロート弁（５２）と、前記フロート弁（５２）の中央に形成された貫通孔（６０）と、前記フロート弁（５２）の上面に形成され前記貫通孔（６０）に連通するテーパ面（６１）と、前記カップ体（５０）の底部（５０ｂ）に接続された吸い込み管（６２）とを備え、前記吸い込み管（６２）から前記混合液（３）を吸い込むことにより、前記フロート弁（６２）が降下し、前記タンク（２）内の混合液（３）表面が前記テーパ面（６１）及び貫通孔（６０）を介して前記吸い込み管（６３）内へ吸い込まれるように構成したことを特徴とする浮上油回収装置の吸引ノズル構造。
【請求項２】
前記請求項１の吸引ノズル（４）で吸引した前記混合液（３）を浮上油回収装置（１）の第２分離区画（３０）内に送り込み、前記第２分離区画（３０）内の前記混合液（３）の浮上油（７）を前記第２分離区画（３０）内に固定配設された分離油排出ノズル（３５）を介して排出するようにした浮上油回収装置の分離油排出構造において、
前記分離油排出ノズル（３５）は、前記第２分離区画（３０）の底部（３０ａ）に植立された排出管（３６）と、前記排出管（３６）の上部に上下動自在に設けられ水より軽く油より重い比重のフロート（３８）と、前記フロート（３８）の上面に形成され前記排出管（３６）に連通する開口（３７）とを備え、前記混合液（３）に浮上油（７）が溜まった場合、前記フロート（３８）が前記浮上油（７）中に沈み、前記浮上油（７）が前記開口（３７）を介して前記排出管（３６）から排出されるようにしたことを特徴とする浮上油回収装置の分離油排出構造。
【発明の詳細な説明】
【０００１】
【発明の属する技術分野】
本発明は、浮上油回収装置の吸引ノズル構造及び分離油排出構造に関し、特に、フロート状のカップ内に浮上するフロート弁の作用によって液の液表面を回収し、さらに、回収した液の浮上油中に分離油排出ノズルのフロートが沈み込みこの浮上油を排出させることにより、フロート弁及びフロートの弁調整及び位置調整を行うことなく安定した回収を行うようにするための新規な改良に関する。
【０００２】
【従来の技術】
従来、用いられていたこの種の浮上油回収装置としては、図９の構成がある（例えば、非特許文献１参照）。
すなわち、図９において符号１で示されるものは浮上油回収装置であり、この浮上油回収装置１のタンク２内には、加工設備から排出される切削等に用いた水に、油が混合した混合液３が供給されている。
【０００３】
前記混合液３は、このタンク２に浮上するフロートサクション４及びポンプ５を介して上部タンク６内にその底部６ａ側から上方へ向けて溜められ、この上部タンク６の上面には浮上油７が溜まるように構成されている。
【０００４】
前記浮上油７は油出口８を経て油タンク９に回収され、前記上部タンク６内の水１０は水排出管１１を経てタンク２内に戻されるように構成されている。
【０００５】
【非特許文献１】
ｈｔｔｐ：／／ｗｗｗ．ｚｅｏｔｅｋ．ｃｏ．ｊｐ／ｐｒｏｄｕｃｔ／ｄｅｔａｉｌ／ｗｏｓｍｉｎｉ．ｈｔｍｌ
【０００６】
【発明が解決しようとする課題】
従来の浮上油回収装置は、以上のように構成されているため、次のような課題が存在していた。
すなわち、混合液上に浮上したフロートサクションは、上向きの吸い込み口をフロートで浮上させているだけの構成であるため、泡立ちや波の影響を受けやすく、浮上油のみを効率よく吸い込むことが困難であった。
また、フロートサクションのフロートの位置を混合液の状態等に合わせて調整しなければならず、保守・点検に多大の労力とコストを必要としていた。
【０００７】
本発明は、以上のような課題を解決するためになされたもので、特に、フロート状のカップ内に浮上するフロート弁の作用によって液の液表面を回収し、さらに、回収した液の浮上油中に分離油排出ノズルのフロートが沈み込みこの浮上油を排出させることにより、フロート弁及びフロートの弁調整及び位置調整を行うことなく安定した回収を行うようにした浮上油回収装置の吸引ノズル構造及び分離油排出構造を提供することを目的とする。
【０００８】
【課題を解決するための手段】
本発明による浮上油回収装置の吸引ノズル構造は、タンク内の混合液を前記混合液上に浮いた状態の吸引ノズルを介して浮上油回収装置の第１分離区画内に送り込むようにした浮上油回収装置の吸引ノズル構造において、前記吸引ノズルは、側部に開口を有するカップ体と、前記カップ体内に上下動自在に設けられたフロート弁と、前記フロート弁の中央に形成された貫通孔と、前記フロート弁の上面に形成され前記貫通孔に連通するテーパ面と、前記カップ体の底部に接続された吸い込み管とを備え、前記吸い込み管から前記混合液を吸い込むことにより、前記フロート弁が降下し、前記タンク内の混合液表面が前記テーパ面及び貫通孔を介して前記吸い込み管内へ吸い込まれるようにした構成であり、また、前記請求項１の吸引ノズルで吸引した前記混合液を浮上油回収装置の第２分離区画内に送り込み、前記第２分離区画内の前記混合液の浮上油を前記第２分離区画内に固定配設された分離油排出ノズルを介して排出するようにした浮上油回収装置の分離油排出構造において、前記分離油排出ノズルは、前記第２分離区画の底部に植立された排出管と、前記排出管の上部に上下動自在に設けられ水より軽く油より重い比重のフロートと、前記フロートの上面に形成され前記排出管に連通する開口とを備え、前記混合液に浮上油が溜まった場合、前記フロートが前記浮上油中に沈み、前記浮上油が前記開口を介して前記排出管から排出されるようにした構成である。
【０００９】
【発明の実施の形態】
以下、図面と共に本発明による浮上油回収装置の吸引ノズル構造及び分離油排出構造の好適な実施の形態について説明する。尚、従来例と同一又は同等部分については同一符号を用いて説明する。
図１は全体構成を示している。図１において符号１で示されるものは浮上油回収装置であり、この浮上油回収装置１のタンク２内には、図示しない切削等の加工設備Ａからの切削液等からなる水と油の混合液３が供給されるように構成されている。
【００１０】
前記タンク２の混合液３上には、吸引ノズル４が浮上しており、この混合液３は配管２ａ及び切り粉フィルタ２ｂを介してポンプ２０により吸引されてタンク状の第１分離区画６内に供給される。
前記第１分離区画６内は、複数の案内板６ａが傾斜した状態で、かつ、流路６ｂを有する状態で配設されており、前記ポンプ２０によって底部６Ａ側から上方へ混合液３が送られ、底部６Ａ側に微粒子が上部側に粗粒子６ｂが溜まるように構成されている。
【００１１】
前記第１分離区画６には、図３及び図４で示されるように、第２分離区画３０が隣接して一体結合されており、前記第１分離区画６の上部に配設された連通管３１により、前記混合液３が第１分離区画６から第２分離区画３０内に供給される。
【００１２】
前記第２分離区画３０には、その底部３０ａに分離油排出ノズル３５が設けられ、この分離油排出ノズル３５の排出管３６は前記底部３０ａに植設され、この排出管３６の上部に断面がほぼＴ字型で開口３７を有するフロート３８が上下動自在に設けられている。
前記フロート３８は、水よりは軽く油より重い比重を有する材料である、例えばポリエチレン等からなり、水の上では浮き、浮上油７が溜まると浮上油７の中に沈み、開口３７から浮上油７が排出管３６を介して排出され廃油受け９に廃棄されるように構成されている。
【００１３】
前記吸引ノズル４は、図５及び図６に示されるように、側部５０ａに開口５１を有すると共に混合液３上に浮くカップ体５０と、前記カップ体５０内で上下動自在に浮くことができるフロート弁５２と、前記フロート弁５２の中心に形成された貫通孔６０と、前記フロート弁５２の上面に形成され前記貫通孔６０側に傾斜して連通するテーパ面６１と、前記カップ体５０の底部５０ｂに接続され前記混合液３を前記ポンプ２０で吸引するための吸い込み管６２とから構成されている。
【００１４】
次に、動作について述べる。まず、図示しない加工設備Ａから供給された水と油の混合液３は、タンク２内に溜まり、ポンプ２０を作動させることによってその表面側の油と共に吸引され、図５の吸引ノズル４のフロート弁５２が図６のように下方へ降下するため、側部５０ａの開口５１からテーパ面及び貫通孔６０を経て、タンク２内の混合液３は第１分離区画６内へ底部６Ａ側から供給される。
【００１５】
前記第１分離区画６に供給された混合液３の量が増加し、その表面側から連通管３１内に溢れて入ると、混合液３は第１分離区画６から第２分離区画３０内へ供給される。
この第２分離区画３０内の混合液３の水位が上昇し、その表面が分離油排出ノズル３５のフロート３８に達すると、フロート３８が水に接している割合いが高い時は図７のように浮上し、開口３７には浮上油７が入らない。
【００１６】
前述の状態で、混合液３が次々に供給され、その表面に溜まる浮上油７の割合いが高くなると、図８で示されるように、フロート３８が浮上油７内に沈み、浮上油７は開口３７を介して排出管３６から廃油受け９内へ廃棄される。
同時に、前記第２分離区画３０内の混合液３は、浮上油７と水３ａとにほぼ分離されているため、この水３ａは案内筒７０内を上昇して水出口８から前記タンク２内へ浄化液３ａＡとして戻される。
従って、最終工程の第２分離区画３０において、浮上油７の処理と水３ａの処理とが連続もしくは断続的に行われる。
尚、前述の加工設備からの切削液からなる混合液３に限ることなく、他の設備からの水と油の混合液３にも適用できるものである。
【００１７】
【発明の効果】
本発明による浮上油回収装置の吸引ノズル構造及び分離油排出構造は、以上のように構成されているため、次のような効果を得ることができる。
すなわち、タンク内に浮上した吸引ノズル内にフロート弁が浮上しているため、吸引するのみでタンク内の表面側から浮上油を含む混合液を効率よく吸引し、泡立ちや波に関係なく、安定して吸引ができる。
また、最終の第２分離区画の分離油排出ノズル３５が油よりも重い比重のフロートを有しているため、油と水を完全に分離し、水を排水することなく油のみを廃棄することができる。
また、前述のフロート弁及びフロートは、調整が不要で、保守・点検が容易である。
【図面の簡単な説明】
【図１】本発明による浮上油回収装置を示す構成図である。
【図２】図１の詳細構成図である。
【図３】図２の要部の詳細構成図である。
【図４】図２の要部の詳細構成図である。
【図５】図２の要部の拡大詳細図である。
【図６】図５の動作状態図である。
【図７】図２の要部の拡大詳細図である。
【図８】図７の動作状態図である。
【図９】従来の構成図である。
【符号の説明】
１    浮上油回収装置
２    タンク
３    混合液
４    吸引ノズル
６    第１分離区画
７    浮上油
３０    第２分離区画
３０ａ    底部
３５    分離油排出ノズル
３６    排出管
３７    開口
３８    フロート
５０    カップ体
５０ａ    側部
５１    開口
５２    フロート弁
５０ｂ    底部
６０    貫通孔
６１    テーパ面
６２    吸い込み管
【図１】
2004216257.tif 000003
【図２】
2004216257.tif 000004
【図３】
2004216257.tif 000005
【図４】
2004216257.tif 000006
【図５】
2004216257.tif 000007
【図６】
2004216257.tif 000008
【図７】
2004216257.tif 000009
【図８】
2004216257.tif 000010
【図９】
2004216257.tif 000011